(57)【要約】【課題】１枚のフラットなブランクシートを折り畳んでゆくだけで、別途封緘等のための部材を必要とせずに、ペーパー資材等を脱落することなく充分密閉収納することができるようにした、ペーパー資材等の収納ケースを開発することを技術課題とする。【解決手段】１枚のブランクシートＢに多角形状の基板１と、この基板周囲の辺に折線を介して設けられるロックカバーフラップ２１、中間カバーフラップ２２、２３、キーカバーフラップ２４を具え、それぞれ前順のカバーフラップ２１、２２、２３に対し一部を上押さえ状態に後順のカバーフラップ２２、２３、２４が重ね合わされ、且つ最後に折り重ねられるキーカバーフラップ２４はその前順の中間カバーフラップ２３を一部上押さえするとともに、その自由端側の差込端部２６はロックカバーフラップ２１の内側に差込状態に重ね入れる構成とする。【選択図】図１
2014162503.tif 000002
【特許請求の範囲】
【請求項１】
１枚のブランクシートに多角形状の基板と、この基板周囲の辺に折線を介して設けられる複数のカバーフラップとを具え、前記複数のカバーフラップはそれぞれ基板の辺毎に順次設けられたロックカバーフラップ、中間カバーフラップ、キーカバーフラップであり、これらロックカバーフラップ、中間カバーフラップ、キーカバーフラップはそれぞれ前順のカバーフラップに対し一部を上押さえ状態に後順のカバーフラップが重ね合わされ、且つ最後に折り重ねられるキーカバーフラップはその前順の中間カバーフラップを一部上押さえするとともに、その自由端側の差込端部はロックカバーフラップの内側に差込状態に重ね入れ、これら各カバーフラップの相互の重ね押さえによりカバー組立体を構成して基板面を覆い、基板とカバー組立体との間に薄形状の被収納物を収納するようにしたことを特徴とするペーパー資材等の収納ケース。
【請求項２】
前記各カバーフラップをカバー組立体とした状態における見かけ上の係合中心は、キーカバーフラップが設けられる基板の辺と反対側の辺側に偏寄していることを特徴とする請求項１記載のペーパー資材等の収納ケース。
【請求項３】
前記基板の各辺において、カバーフラップが形成されていない部位に対応して、この部位を塞ぐための閉鎖フラップが、カバーフラップまたは基板の辺に設けられていることを特徴とする請求項１または２記載のペーパー資材等の収納ケース。
【請求項４】
前記カバーフラップにおける上押さえ作用部の先端形状は円弧状であることを特徴とする請求項１、２または３記載のペーパー資材等の収納ケース。
【請求項５】
前記ブランクシートは板紙製であることを特徴とする請求求項１、２、３または４記載のペーパー資材等の収納ケース。
【発明の詳細な説明】
【技術分野】
【０００１】
本発明は、ハガキやグリーティングカード、更にはＢ５判、Ａ４判等のサイズのペーパー資材・資料、ＣＤケース等、比較的薄型状のものを収納対象としたペーパー資材等の収納ケースに関するものである。
【背景技術】
【０００２】
ペーパー資材・資料等を収納するケースは、２辺が開放された矩形状の樹脂製ファイル等をはじめ、極めて多くの形態のものが存在している。これらはいずれも使い易さや被収納物の保持の確実さ等をねらって種々の工夫がされている。このうちペーパー資材等を脱落しないように確実に保持することを目的とした場合には、いわゆる封筒型や薄箱型の樹脂ケース等が多く用いられている。これらにはラインファスナやスライドファスナ等の封緘するための部材が設けられており、構成上シンプルさが損なわれる傾向は避け難い。一方より簡便な紙製ファイルにしても別途綴じ込みのための部材が具えられていることも多く、シンプルさの点では充分とは言えない。もちろん板紙製のブランクシートを出発素材として、薄型状のものを収納対象としたものもあるが、単なる包み込み手法とも言うべきものであって、組立の意外性、意匠性等は充分に発揮できていない。
【先行技術文献】
【特許文献】
【０００３】
【特許文献１】実開平７−８３５公報
【発明の概要】
【発明が解決しようとする課題】
【０００４】
本発明はこのような背景を考慮してなされたものであって、１枚のフラットなブランクシートを折り畳んでゆくだけで、別途封緘等のための部材を必要とせずに、ペーパー資材等を脱落することなく充分密閉収納することができるようにした、新規なペーパー資材等の収納ケースを開発することを技術課題としたものである。
【課題を解決するための手段】
【０００５】
まず請求項１記載のペーパー資材等の収納ケースは、１枚のブランクシートに多角形状の基板と、この基板周囲の辺に折線を介して設けられる複数のカバーフラップとを具え、前記複数のカバーフラップはそれぞれ基板の辺毎に順次設けられたロックカバーフラップ、中間カバーフラップ、キーカバーフラップであり、これらロックカバーフラップ、中間カバーフラップ、キーカバーフラップはそれぞれ前順のカバーフラップに対し一部を上押さえ状態に後順のカバーフラップが重ね合わされ、且つ最後に折り重ねられるキーカバーフラップはその前順の中間カバーフラップを一部上押さえするとともに、その自由端側の差込端部はロックカバーフラップの内側に差込状態に重ね入れ、これら各カバーフラップの相互の重ね押さえによりカバー組立体を構成して基板面を覆い、基板とカバー組立体との間に薄形状の被収納物を収納するようにしたことを特徴として成るものである。
【０００６】
また請求項２記載のペーパー資材等の収納ケースは、前記請求項１記載の要件に加え、前記各カバーフラップをカバー組立体とした状態における見かけ上の係合中心は、キーカバーフラップが設けられる基板の辺と反対側の辺側に偏寄していることを特徴として成るものである。
【０００７】
また請求項３記載のペーパー資材等の収納ケースは、前記請求項１または２記載の要件に加え、前記基板の各辺において、カバーフラップが形成されていない部位に対応して、この部位を塞ぐための閉鎖フラップが、カバーフラップまたは基板の辺に設けられていることを特徴として成るものである。
【０００８】
また請求項４記載のペーパー資材等の収納ケースは、前記請求項１、２または３記載の要件に加え、前記カバーフラップにおける上押さえ作用部の先端形状は円弧状であることを特徴として成るものである。
【０００９】
また請求項５記載のペーパー資材等の収納ケースは、前記請求項１、２、３または４記載の要件に加え、前記ブランクシートは板紙製であることを特徴として成るものである。
【発明の効果】
【００１０】
まず請求項１記載の発明によれば、基板周囲に設けられたカバーフラップを順次折り曲げてゆくだけで、それらの相互の重ね押さえ状態を利用して、カバー組立体を基板面に対し形成することができる。このため別途封緘のための部材を必要とせずに被収納物を脱落することなく収納することができる。
【００１１】
また請求項２記載の発明によれば、カバー組立体における見かけ上の係合中心はキーカバーフラップが設けられている辺と反対側の辺側に偏寄しており、この結果被収納物を収めるための開口部が充分大きく開口し、その収納作業が行い易い。
【００１２】
更にまた請求項３記載の発明によれば、カバーフラップが形成されていない部位における基板の各辺の部位を塞ぐための閉鎖フラップが設けられており、基板の各辺の全域にわたって内部が閉鎖された状態でカバー組立体が構成し得る。
【００１３】
更にまた請求項４記載の発明によれば、カバーフラップにおける上押さえ作用部の先端形状を円弧状としたときには、カバー組立体を構成したときに放射渦状の形態を現出し、意匠的な効果を高める。
【００１４】
更にまた請求項５記載の発明によれば、ブランクシートを板紙製とした場合には、低コストで扱い易い製品が提供でき、且つ廃棄する場合に環境負荷を少なくすることができる。
【図面の簡単な説明】
【００１５】
【図１】本発明のペーパー資材等の収納ケースを示す斜視図であり、ブランクシートの展開状態から組立途中の状態を併せ示すものである。
【図２】同上ペーパー資材等の収納ケースのブランクシートを示す平面図である。
【図３】同上ペーパー資材等の収納ケースの組立順序を示す斜視図である。
【図４】同上ペーパー資材等の収納ケースの組立順序を示す斜視図である。
【図５】同上ペーパー資材等の収納ケースの他の実施例を示す説明図であり、ブランクシートの平面図及び組立状態の斜視図である。
【図６】同上ペーパー資材等の収納ケースの更に他の実施例を示す説明図であり、ブランクシートの平面図及び組立状態の斜視図である。
【図７】同上ペーパー資材等の収納ケースの更に他の実施例を示す説明図であり、ブランクシートの平面図及び組立状態の斜視図である。
【発明を実施するための形態】
【００１６】
本発明を実施するための形態は、以下に述べる実施例をその一つとするものであり、更にこの技術思想の中で改変される種々の形態を含むものである。
【実施例】
【００１７】
以下本発明のペ−パー資材等の収納ケース（以下収納ケースＣとする）を図示の実施例に基づいて具体的に説明する。この収納ケースＣは、図１に示すように一例として矩形状の基板１に対し、その各辺に設けられたカバーフラップ２がそれぞれ順次上押さえ状態に折り重ねられるようにしてカバー組立体２０が構成され、このカバー組立体２０が基板１を覆うようにして、その内側にペーパー資材Ｐ等の被収納物Ａを収納するものである。そしてこの収納状態を得るにあたっても格別に別途封緘部材等を必要としていない。
【００１８】
以下この収納ケースＣについてブランクシートＢの形状から説明する。このブランクシートＢは一例として適宜の剛性を有する板紙製のものであって、その中央部に一例として矩形状の基板１を区画形成する。なおこのブランクシートＢの素材については、板紙が好適な材料の一例として挙げられるが、同様の目的、作用効果を得られるものであれば、他の材料であってももとより差し支えない。例えば、紙素材のものであれば、いわゆるＦフルート、Ｇフルート等の微細なフルートを用いた「Ｆ段」、「Ｇ段」等と称される段ボールを含めた段ボール素材を用いることもできるし、更には目的が達成できる程度のいわゆる「コシ」をもった樹脂シートを適用することもできる。加えて、素材としては単一素材ではなく、樹脂と紙との積層、ラミネート処理をした複合材料や、更には織布や天然素材としての突板、アルミ箔等の金属箔等をこれらに複合させたもの等が適用できる。そしてこの基板１の周囲にカバーフラップ２を設ける。まず基板１は一例として横長に置いた場合に四周に、第１の辺となる上辺１１と第２の辺となる側辺１２、 更に第３の辺となる下辺１３と第４の辺となる側辺１４とを具える。なおこれら各辺を総称する場合には辺１０として説明する。この基板１の辺１０は基板折線Ｌ１を介して前記カバーフラップ２と閉鎖フラップ３とを具える。
【００１９】
まず上辺１１にあっては、第１のカバーフラップ２となるロックカバーフラップ２１を具える。このものは横置きにした砲弾形と表現されるような平面形状を有するものであり、一方の短辺を側辺１２から延長させた直線形状に形成するとともに、対向する他の辺は円弧状に形成されている。更にロックカバーフラップ２１は前記第２の辺となる側辺１２の延長上に形成された端面からフラップ折線Ｌ２を介して閉鎖フラップ３を形成している。なおこの閉鎖フラップ３は更に他に３カ所、計４カ所形成されているものであり、これらを区別して説明するにあたり、ロックカバーフラップ２１に設けられているものを閉鎖フラップ３１として説明する。次に基板１の第２の辺となる側辺１２には、カバーフラップ２のうちの中間カバーフラップ２２が基板折線Ｌ１を介してその外側に形成される。このものもやや全長の長い砲弾形としたものであり、その一方の端辺は第３の辺となる下辺１３の延長上に直線状に形成されるとともに、対向する辺を円弧状に形成する。この中間カバーフラップ２２にも、フラップ折線Ｌ２を介して閉鎖フラップ３が延長形成される。なおこの閉鎖フラップ３を区別して示す場合には閉鎖フラップ３２として説明する。
【００２０】
更に前記基板１の第３の辺となる下辺１３には基板折線Ｌ１を介して同じく中間カバーフラップ２３となるカバーフラップ２が設けられる。このものも全体として横置き状の砲弾形と表現できるような形態を採るものであり、一方の端部を基板１の側辺１４を延長させた直線形態を採るとともに、対向する辺を円弧状に構成している。更に第４の辺となる側辺１４には基板折線Ｌ１を介してカバーフラップ２としてのキーカバーフラップ２４が設けられる。このものは一方の辺を基板１の上辺１１の延長上に直線状に形成し、その対向する辺を円弧状としたものであり、扁平な椀状とでも称されるような形態を採る。これら各カバーフラップ２はその円弧状に形成された辺の近くを上押さえ作用部２５とするとともに、キーカバーフラップ２４にあっては、そのその自由端側を幾分か延長するような形態として差込端部２６を形成する。
【００２１】
更にロックカバーフラップ２１及び中間カバーフラップ２２においてすでに述べた閉鎖フラップ３について説明する。この閉鎖フラップ３は図示のブランク形状から理解できるように、カバーフラップ２が各辺の途中から他の端部までの間に形成されていることから、このカバーフラップ２が存在しない各辺１０における部位を積極的に閉鎖するものである。従って例えばすでに述べたロックカバーフラップ２１に具えられた閉鎖フラップ３１は、折り畳んだ際に閉成されていない部位となる側辺１２の開放部位を閉鎖するように寸法設定されている。同様に中間カバーフラップ２２に設けられている閉鎖フラップ３２についても、第３の辺となる下辺１３における中間カバーフラップ２３が形成されていない部位を塞ぐような形態となっている。このように閉鎖フラップ３はカバーフラップ２の一辺に取り付けるほか、第４の辺となる側辺１４にあっては閉鎖フラップ３（３３）はこの側辺１４に対し基板折線Ｌ１を介して形成されている。また同様に第１の辺となる上辺１１にあっても閉鎖フラップ３（３４）はその上方に形成されている。もちろんこれらの閉鎖フラップ３が存在しなくてもカバーフラップ２と基板１とは基板折線Ｌ１において連接しており、これにより内部に被収納物Ａを落下しない状態で保持することが可能である。
【００２２】
本発明は以上述べたようなブランク形状を有するものであり、以下のように組み立てて収納ケースＣとして用いられる。まず組立順序としては図３（ａ）（ｂ）に示すようにカバーフラップ２のうち第１の辺である上辺１１に設けられたロックカバーフラップ２１を基板折線Ｌ１において基板１に折り重ねるように谷折り状態に折り曲げる。これに先立ち前記閉鎖フラップ３１についてもフラップ折線Ｌ２を介してロックカバーフラップ２１に折り重なるように折り曲げておく。このようにした後、図３（ｃ）に示すように第２の辺たる側辺１２に設けれている中間カバーフラップ２２も同様に基板１側に向けて折り重ねるように折り曲げる。もちろんこの場合にも閉鎖フラップ３２を予め中間カバーフラップ２２に重なるようにフラップ折線Ｌ２において重ねるように折り曲げておく。このような折り曲げがなされると、すでに前工程でロックカバーフラップ２１が基板１に向けて折り重ねられているその上に、中間カバーフラップ２２が折り重ねられるものであるから、中間カバーフラップ２２の上押さえ作用部２５がロックカバーフラップ２１の自由端側の一部を押さえ込むような形態となっている。
【００２３】
そして更に続いて図４（ａ）に示すように同様に第３の辺たる下辺１３に設けられている中間カバーフラップ２３を基板折線Ｌ１において基板１に折り重ねるように折り曲げる。これによって折り曲げ順序として前順である中間カバーフラップ２２も前工程と同様に中間カバーフラップ２３の上押さえ作用部２５によってその一部が押さえ込まれた状態となっている。この中間カバーフラップ２３の折り込みとともに、更に閉鎖フラップ３のうち第４の辺である側辺１４に設けられている閉鎖フラップ３３を基板１に折り重ねる。もちろん閉鎖フラップ３３については中間カバーフラプ２３より内側に折り込まれるものであり、中間カバーフラップ２３を完全に折り重ねる前に内側に折り畳むようにする。この中間カバーフラップ２３の折り込みの前後において、例えばここに収納する被収納物Ａたるカード等を、基板１とカバーフラップ２によって構成された蓋状部との間に挟み込むようにして保持させておく。もちろん予め基板１に対して被収納物Ａを重ねて置き、それをあたかも包み込むような形でカバーフラップ２を重ね合わせてカバー組立体２０を形成するようにしてももとより差し支えない。
【００２４】
次いで最後順のキーカバーフラップ２４については図４（ｂ）（ｃ）に示すように基板折線Ｌ１の部位で基板１に折り重ねるように折り曲げる。そしてキーカバーフラップ２４の自由端部に設けられている差込端部２６を、すでに折り込まれて保持されている第１の折込順位のロックカバーフラップ２１の下面に差し込むようにする。もちろんこの操作にあたっては、第１の辺である上辺１１に基板折線Ｌ１を介して設けられている閉鎖フラップ３４を予め基板１側に折り重ねておく。このようにしたときには、キーカバーフラップ２４自体はロックカバーフラップ２１の下面に差し込まれることによりその折り曲げ状態が維持されるとともに、キーカバーフラップ２４における円弧状に張り出した上押さえ作用部２５により前順の折り曲げ順位の中間カバーフラップ２３の一部を押さえ込む。
【００２５】
このようにしてカバー組立体２０が基板１を覆い収納ケースＣが完成する。この完成状態についてみると、各カバーフラップ２の見かけ上の係合中心Ｏは基板１に対しキーカバーフラップ２４が設けられている側に対し、その反対側の部位に偏寄した状態となり、且つそれぞれのカバーフラップ２の端縁部の形成する曲線は湾曲した放射渦状に形成され、意匠的な効果をも発揮する。なおこの係合中心Ｏがずれている意味は、カバーフラップ２の開口範囲が大きく確保でき、被収納物Ａの出し入れ操作が行い易いことを意味する。なおこの収納ケースＣから被収納物Ａを取り出す操作としては、前記操作と逆にキーカバーフラップ２４の差込端部２６をロックカバーフラップ２１から引き抜き、順次、カバーフラップ２毎の上押さえ状態を解除しながら基板１を露見させ、内容物を取り出すようにする。
【００２６】
本発明の収納ケースＣは以上述べたような基本的な構成を基本的な形態とするものであり、この技術思想の下に更に他の種々の形態が採り得る。すなわち図５に示す実施例は収納ケースＣ内の収納スペースを更に増加させるように厚みを増やすタイプであって、基板１と各カバーフラップ２ないしは閉鎖フラップ３とのとの間に一定の幅寸法を有する側版５を形成しておく。結果的に図５ (ｂ）に示すように組立状態においては扁平な箱状を呈する。更にまたすでに述べた実施例は基板１を矩形状として構成したものであり、実質的に実用性あるいは被収納物Ａとして紙資材と想定すると、この形態が最も一般的である。しかしながら本発明の技術思想は必ずしも矩形状に限定されない。例えば図６に示すように基板１を五角形状としたり、更には図７に示すように三角形状とする等、適宜の形態が採り得る。なお基板１が五角形あるいは三角形の実施例においては、カバーフラップ２については折り込まれる順序が最初のカバーフラップ２についてはロック作用を奏することが必要とされることから、ロックカバーフラップ２１とし、最後順に折り畳まれるカバーフラップについては、キーカバーフラップ２４とする。そしてその間のカバーフラップについてはすべて中間カバーフラップ２２として示す。
【符号の説明】
【００２７】
１      基板
１０    辺
１１    上辺（第１の辺）
１２    側辺（第２の辺）
１３    下辺（第３の辺）
１４    側辺（第４の辺）
２      カバーフラップ
２０    カバー組立体
２１    ロックカバーフラップ
２２    中間カバーフラップ
２３    中間カバーフラップ
２４    キーカバーフラップ
２５    上押さえ作用部
２６    差込端部
３      閉鎖フラップ
３１    閉鎖フラップ
３２    閉鎖フラップ
３３    閉鎖フラップ
３４    閉鎖フラップ
５      側板
Ａ      被収納物
Ｂ      ブランクシート
Ｃ      収納ケース
Ｌ１    基板折線  
Ｌ２    フラップ折線  
Ｏ      （見かけ上の）係合中心
【図１】
2014162503.tif 000003
【図２】
2014162503.tif 000004
【図３】
2014162503.tif 000005
【図４】
2014162503.tif 000006
【図５】
2014162503.tif 000007
【図６】
2014162503.tif 000008
【図７】
2014162503.tif 000009